(57)【要約】【課題】フィルタ６の目詰まりが起こりにくいほか、気密、液密な容器を１個だけで済ますノロ水の上澄み吸引濾過装置を提供する。【解決手段】ノロ水の導入口３を設けた密閉容器１と、密閉容器１の底部より上方に配置されて導入口３からのノロ水を回収するノロ水回収容器４と、このノロ水回収容器４の内部に設けられて底部にフィルタ６を有する濾過容器５とを備え、ノロ水回収容器４の下部に濾過水貯留部９を形成し、上記濾過容器５の上部と上記濾過水貯留部９とを連通させるとともに、密閉容器１を第１の負圧発生装置１０に、濾過容器５を第２の負圧発生装置１１に各々連結し、密閉容器１の負圧Ｐ１を濾過容器５の負圧Ｐ２より高く設定し、上記ノロ水回収容器４のノロ水の上澄みを濾過容器５のフィルタ６により濾過して吸い上げ、濾過水貯留部９に流下させる。【選択図】図１
2007160180.tif 000002
【特許請求の範囲】
【請求項１】
ノロ水の導入口を設けた密閉容器と、密閉容器の底部より上方に配置されて上記導入口からのノロ水を回収するノロ水回収容器と、このノロ水回収容器の内部に設けられて底部にフィルタを有する濾過容器とを備え、
上記ノロ水回収容器の下部に濾過水貯留部を形成し、上記濾過容器の上部と上記濾過水貯留部とを連通させるとともに、
上記密閉容器を第１の負圧発生装置に、濾過容器を第２の負圧発生装置に各々連結し、密閉容器の負圧Ｐ１を濾過容器の負圧Ｐ２より高く設定し、
上記ノロ水回収容器のノロ水の上澄みを濾過容器のフィルタにより濾過して吸い上げ、上記濾過水貯留部に流下させる
ことを特徴とするノロ水の上澄み吸引濾過装置。
【請求項２】
前記濾過容器のフィルタの上には多数の連通孔を有する濾過ブロックが載置されていることを特徴とする、請求項１に記載のノロ水の上澄み吸引濾過装置。
【請求項３】
上記ノロ水回収容器の内側には、上記導入口からのノロ水を直接に受ける補助容器を着脱自在に配置したことを特徴とする、請求項１に記載のノロ水の上澄み吸引濾過装置。
【発明の詳細な説明】
【技術分野】
【０００１】
本発明は、岩石、コンクリート穿孔・切削するドリル工具を冷却した冷却水が流れ落ちて汚濁したノロ水を回収して濾過し、再び冷却水として利用するためのノロ水の上澄み吸引濾過装置に関するものである。
【背景技術】
【０００２】
一般に、岩石、コンクリート等を穿孔するドリル工具は冷却水で冷却されるが、冷却水を有効に再利用するための回収濾過装置が知られている。その装置の１つが特許文献１に示されている。
【０００３】
流れ落ちた冷却水は穿孔屑を含んで汚濁したノロ水となるので、このようなノロ水を再び使用できるようにするためには、濾過する必要がある。従来のノロ水の濾過装置は、給水ポンプでノロ水を吸い上げ、そのままフィルタに押し付けて加圧することにより濾過する技術であった。
【特許文献１】特開平１１−３１１０８３号公報
【発明の開示】
【発明が解決しようとする課題】
【０００４】
しかし、ノロ水を直接に給水ポンプで吸い上げると中に含まれる穿孔屑や粉塵が給水ポンプの構成部品を破損させることがあり、またフィルタは、回収されたノロ水の中に常時漬かっているため、フィルタの目詰まりが起こりやすく、タンクの中には大量のノロ水が残り掃除が大変である。
【０００５】
また、２個以上の気密、液密な密閉容器を必要とするので高価なものにならざるを得なかった。
【０００６】
本発明は、上記問題点を解消し、フィルタの目詰まりが起こりにくいとともに、コストも低く抑えることができるノロ水の上澄み吸引濾過装置を提供することを第１の課題とし、さらにタンク内の清掃作業を容易化することができるノロ水の上澄み吸引濾過装置を提供することを課題とする。
【課題を解決するための手段】
【０００７】
前記課題を解決するため、請求項１に係る発明は、ノロ水の導入口を設けた密閉容器と、密閉容器の底部より上方に配置されて上記導入口からのノロ水を回収するノロ水回収容器と、このノロ水回収容器の内部に設けられて底部にフィルタを有する濾過容器とを備え、上記ノロ水回収容器の下部に濾過水貯留部を形成し、上記濾過容器の上部と上記濾過水貯留部とを連通させるとともに、上記密閉容器を第１の負圧発生装置に、濾過容器を第２の負圧発生装置に各々連結し、密閉容器の負圧Ｐ１を濾過容器の負圧Ｐ２より高く設定し、上記ノロ水回収容器のノロ水の上澄みを濾過容器のフィルタにより濾過して吸い上げ、上記濾過水貯留部に流下させることを特徴とする。
【０００８】
請求項２に係る発明は、前記濾過容器のフィルタの上には多数の連通孔を有する濾過ブロックが載置されていることを特徴とする。
【０００９】
請求項３に係る発明は、上記ノロ水回収容器の内側には、上記導入口からのノロ水を直接に受ける補助容器を着脱自在に配置したことを特徴とする。
【発明の効果】
【００１０】
請求項１に係る発明によれば、第１の負圧発生装置により密閉容器を負圧にし、ノロ水をノロ水回収容器に回収する。回収が進むとその上澄み液の水面がだんだん上がってきて、濾過容器のフィルタを越えると濾過できる状態になる。第２の負圧発生装置により濾過容器内の圧力を密閉容器の負圧よりも低くすることにより、ノロ水回収容器内のノロ水はフィルタを通り、濾過されて濾過容器内に吸い上げられ、さらに、濾過水は濾過容器から溢れて自重で流れ落ちて濾過水貯留部に溜まる。
【００１１】
このように、濾過容器のフィルタは濾過容器の底部に設けられ、ノロ水回収容器のノロ水の上澄みを濾過する構成であるから、ノロ自体は沈殿してフィルタには付着しにくいので、フィルタの目詰まりが起こりにくい。そして、給水ポンプは密閉容器内の濾過水貯留部の濾過水を送ることになるために壊れにくい。また、気密、液密な容器はノロ水回収容器と濾過容器とを内側に設けた密閉容器１個だけ済むので、コストも低く抑えることができる。
【００１２】
請求項２に係る発明によれば、上記濾過容器のフィルタは濾過ブロックに押えられて安定な状態になるから、濾過効率がよい。
【００１３】
請求項３に係る発明によれば、密閉容器に回収されたノロ水のノロは補助容器に回収されるので、密閉容器を開放し、補助容器を外に出して容易に廃棄等の処理をすることができる。
【発明を実施するための最良の形態】
【００１４】
以下、図面によって本発明に係るノロ水の上澄み吸引濾過装置を図１の概略図に基づいて説明する。
【００１５】
同図において符号１は密閉容器を示す。この密閉容器１は、ノロ水を回収し、濾過する容器である。密閉容器１の上部の蓋は開放可能であるが、シールされ閉じられており、穿孔現場からのノロ水２の導入口３を備えている。
【００１６】
密閉容器１の内部には、ノロ水回収容器４と濾過容器５とが設けられている。
【００１７】
ノロ水回収容器４は、密閉容器１の底部よりも上方で、上記導入口３の下方に配置され、ノロ水２を回収できるように配置されている。ノロ水回収容器４の一側壁は密閉容器１の側壁と一体になっている。
【００１８】
濾過容器５はノロ水回収容器４の内部に設けられており、底部にはフィルタ６が取り付けられている。なお、フィルタ６はノロ水回収容器４の底部よりもやや上方に配置するのが好ましい。
【００１９】
フィルタ６の上部には濾過ブロック７が載置されている。濾過ブロック７には上下に多数の連通孔８が形成されている。
【００２０】
上記ノロ水回収容器４の下部には濾過水貯留部９が形成され、この濾過水貯留部９と上部の上記濾過容器５の上部とは一体に形成されて連通し、濾過水貯留部９と密閉容器１に対しては部分ａと部分ｂにおいてシールされている。
【００２１】
次に、密閉容器１は第１の負圧発生装置１０に連結され、また濾過容器５は第２の負圧発生装置１１に連結されている。また、濾過容器５の底部は給水ポンプ１２を介してコアドリルなどの接続機器１３に接続している。
【００２２】
上述の構成において、まず、第１の負圧発生装置１０により密閉容器１を負圧Ｐ１にすると、導入口３から密閉容器１内にノロ水２が導入され、さらにノロ水回収容器４に回収される。時間の経過につれてノロ（穿孔屑や粉塵）２ａの部分は底部に沈殿していく。回収が進むとその上澄み液の水面がだんだん上がってきて濾過ブロック７のフィルタ６を越えると濾過できる状態になる。
【００２３】
次に、第２の負圧発生装置１１により濾過容器５を負圧Ｐ２にし、密閉容器１の負圧（圧力）Ｐ１を濾過容器５の負圧（圧力）Ｐ２よりも高くすることにより、つまり、Ｐ２＜Ｐ１＜大気圧とすることにより、ノロ水回収容器４内のノロ水２は、フィルタ６を通り、濾過されて濾過容器５内に吸引され、濾過ブロック７の上部から溢れ、その後流下して濾過水貯留部９に溜まる。この状態で給水ポンプ１２を作動させると、濾過容器５内の濾過水は、ふたたび穿孔現場に戻され、接続機器１３に供給される。
【００２４】
なお、濾過ブロック７を図示しない駆動装置等で上下に揺動させてフィルタ６の下面に付着したノロ２ａを落下させることで、濾過能力の低下を回復させることができ、さらに目詰まりしにくくなる。
【００２５】
なお、上記濾過容器５のフィルタ６は濾過ブロック７に押えられて安定な状態になっているが、濾過ブロック７を上下に揺動させてフィルタ６の下面に付着したノロ２ａを落下させることで、濾過能力の低下を回復させることができ、さらに目詰まりしにくくなる。
【００２６】
以上のようにフィルタ６は、ノロ水２の上澄み液だけを濾過するので、目詰まりしにくく、給水ポンプ１２も濾過された水が通るため壊れにくい。
【００２７】
また、濾過ブロック７に多数の貫通孔８を設けることで、フィルタ６を通過する濾過水の流量を確保しつつ、ブロックでフィルタ６の剛性を補強してノロ２ａ付着によるフィルタ６の変形を防止できるため、広い面積のフィルタ６の使用が可能となり、濾過効率が向上し、目詰まりしにくくなる。
【００２８】
さらに、気密、液密を必要とする密閉容器１は、上澄み吸引濾過装置全体として１個だけで済むので、コストも低く抑えることができる。
【００２９】
次に、図２は他の実施形態を示すもので、密閉容器１の底部には、補助容器１４が配置されている。この補助容器１４は上記導入口３からのノロ水を直接に受けるもので、袋状に形成され、密閉容器１の蓋を外すことにより外部に取り出すことができるよう着脱自在に設けられている。したがって。ノロ水回収容器４の底部に沈殿したノロ２ａは、補助容器１４に回収され、密閉容器１の上部を開放して補助容器１４を取り出すことにより、廃棄等の処理を容易に行うことができる。
【００３０】
なお、上記の２つの実施形態では密閉容器１用の第１の負圧発生装置１０と、濾過容器５用の第２の負圧発生装置１１を別々に設けて説明したが、密閉容器１、濾過容器５を１個の負圧発生装置に連結し、その連結路にバルブ等を設け、それぞれタイミングをずらして負圧制御させる方法でもよい。
【図面の簡単な説明】
【００３１】
【図１】ノロ水の上澄み吸引濾過装置の構成概略図である。
【図２】他のノロ水の上澄み吸引濾過装置の構成概略図である。
【符号の説明】
【００３２】
１    密閉容器
４    ノロ水回収容器
６    フィルタ
５    濾過容器
７    濾過ブロック
９    濾過水貯留部
１０  第１の負圧発生装置
１１  第２の負圧発生装置
【図１】
2007160180.tif 000003
【図２】
2007160180.tif 000004